(57)【要約】【課題】フィルムソース及びビデオソースの双方の映像信号に対して表示品質の向上を図ることができる映像信号変換装置及び方法を提供する。【解決手段】入力映像信号がインターレース映像信号であるか否かを判別し、入力映像信号がフィルムに基づいたフィルムソースの映像信号であるか否かを判別し、入力映像信号がインターレース映像信号であると判別した場合には入力映像信号をフィルムソースであるか否かの判別結果に応じた変換方法にてプログレッシブ映像信号に変換し、その変換後のプログレッシブ映像信号をフィルムソースの映像信号であるか否かの判別結果に応じて高フレームレートの映像信号に変換して出力し、入力映像信号がインターレース映像信号ではないと判別した場合には入力映像信号をフィルムソースの映像信号であるか否かの判別結果に応じて高フレームレートの映像信号に変換する。【選択図】  図１
2005027068.tif 000002
【特許請求の範囲】
【請求項１】
入力映像信号を高フレームレートのプログレッシブ映像信号に変換する映像信号変換装置であって、
前記入力映像信号がインターレース映像信号であるか否かを判別するインターレース判別手段と、
前記入力映像信号がフィルムに基づいたフィルムソースの映像信号であるか否かを判別するフィルムソース判別手段と、
前記インターレース判別手段によって前記入力映像信号がインターレース映像信号であると判別された場合には前記入力映像信号を前記フィルムソース判別手段による判別結果に応じた変換方法にて前記プログレッシブ映像信号に変換して出力し、前記インターレース判別手段によって前記入力映像信号がインターレース映像信号ではないと判別された場合には前記入力映像信号をそのまま出力するインターレース／プログレッシブ変換手段と、
前記インターレース／プログレッシブ変換手段の出力映像信号を前記フィルムソース判別手段による判別結果に応じて高フレームレートの映像信号に変換するフレームレート変換手段と、を備えたことを特徴とする映像信号変換装置。
【請求項２】
前記インターレース判別手段は、前記入力映像信号の垂直同期信号を検出する同期信号検出手段を含み、
前記インターレース／プログレッシブ変換手段は、前記入力映像信号の垂直同期信号に同期して前記プログレッシブ映像信号を出力することを特徴とする請求項１記載の映像信号変換装置。
【請求項３】
前記インターレース／プログレッシブ変換手段は、前記入力映像信号の垂直同期周波数が５０Ｈｚであるとき前記入力映像信号の２フィールド分で１フレーム分の前記プログレッシブ映像信号を形成してそのプログレッシブ映像信号を２回連続的に出力することを繰り返し、前記入力映像信号の垂直同期周波数が６０Ｈｚであるとき前記入力映像信号の５フィールド分の最初の２フィールド分で１フレーム分の前記プログレッシブ映像信号を形成してそのプログレッシブ映像信号を２回連続的に出力し、次の２フィールド分で１フレーム分の前記プログレッシブ映像信号を形成してそのプログレッシブ映像信号を２回連続的に出力し、残りの１フィールドを無視することを繰り返すことを特徴とする請求項２記載の映像信号変換装置。
【請求項４】
前記フレームレート変換手段は、前記フィルムソース判別手段による判別結果がフィルムソースを示すとき前記入力映像信号の垂直同期周波数が５０Ｈｚである前記プログレッシブ映像信号を７５Ｈｚのフレームレートを有する映像信号に変換し、前記フィルムソース判別手段による判別結果がフィルムソースを示すとき前記入力映像信号の垂直同期周波数が６０Ｈｚである前記プログレッシブ映像信号を７２Ｈｚのフレームレートを有する映像信号に変換することを特徴とする請求項１記載の映像信号変換装置。
【請求項５】
前記フレームレート変換手段は、前記フィルムソース判別手段による判別結果がビデオソースを示すとき前記入力映像信号の垂直同期周波数が５０Ｈｚである前記プログレッシブ映像信号を７５Ｈｚのフレームレートを有する映像信号に変換し、前記フィルムソース判別手段による判別結果がビデオソースを示すとき前記入力映像信号の垂直同期周波数が２４Ｈｚである前記プログレッシブ映像信号を７２Ｈｚのフレームレートを有する映像信号に変換することを特徴とする請求項１記載の映像信号変換装置。
【請求項６】
入力映像信号を高フレームレートのプログレッシブ映像信号に変換する映像信号変換方法であって、
前記入力映像信号がインターレース映像信号であるか否かを判別し、
前記入力映像信号がフィルムに基づいたフィルムソースの映像信号であるか否かを判別し、
前記入力映像信号がインターレース映像信号であると判別した場合には前記入力映像信号を前記フィルムソースの映像信号であるか否かの判別結果に応じた変換方法にて前記プログレッシブ映像信号に変換し、その変換後のプログレッシブ映像信号を前記フィルムソースの映像信号であるか否かの判別結果に応じて高フレームレートの映像信号に変換し、
前記入力映像信号がインターレース映像信号ではないと判別した場合には前記入力映像信号を前記フィルムソースの映像信号であるか否かの判別結果に応じて高フレームレートの映像信号に変換することを特徴とする映像信号変換方法。
【発明の詳細な説明】
【０００１】
【発明が属する技術分野】
本発明は、入力映像信号が映画フィルムから２−３プルダウン方式等の変換方式により生成されたテレシネ変換映像信号
入力映像信号を高画質で表示装置に表示できるように変換する映像信号変換装置に関する。
【０００２】
【従来の技術】
ＮＴＳＣ方式等の標準テレビジョン方式の映像信号の中には、映画フイルムに基づいたフィルーソースの映像信号が含まれることが多々ある。映画フィルムは、毎秒２４コマ（フレーム）からなり、一方、標準テレビジョン方式の映像信号は毎秒３０フレームからなり、１フレームが２フィールドで構成される飛び越し走査（インターレース）の映像信号である。毎秒のフレーム数が異なるので、映画フィルムの各フレームを２−３プルダウン方式によりテレシネ変換して標準テレビジョン方式の映像信号を得ることが通常行われる。
【０００３】
２−３プルダウン方式では、映画フィルムの第１コマから映像信号の第１フレームの第１及び第２フィールド、第２コマから映像信号の第２フレームの第１及び第２フィールド並びに第３フレームの第１フィールド、第３コマから映像信号の第３フレームの第２フィールド及び第４フレームの第１フィールドが作成される。以降のコマについて同様の変換によって連続したフィルムの各コマから、２フィールド分、３フィールド分、２フィールド分、３フィールド分、……のように映像信号を作成することが行われる。
【０００４】
このようにして映画フィルムの２フレームが標準テレビジョン方式の映像信号の５フレームに対応し、映画フィルムのコマに対応して２フィールドの映像信号と３フィールドの映像信号とが交互に繰り返す映像信号に変換される。
ところで、このようにテレシネ変換された飛び越し走査の映像信号による映像をＰＤＰ等の表示装置で表示させる場合には、映像信号の連続するフレーム中の例えば、上述の第３フレームは映画フィルムの第２コマ及び第３コマの画像の組み合わせたものであるので、元の映画フィルムに比べて画質が劣るという問題点があった。
【０００５】
また、フィルムソースの映像信号ではない、いわゆるビデオソースの映像信号であっても飛び越し走査や低フレームレートの映像信号であると、ちらつきが生じ易いため良好な画質を得ることができないという問題点があった。
そこで、本発明が解決しようとする課題には、上記の問題点が一例として挙げられ、フィルムソース及びビデオソースの双方の映像信号に対して表示品質の向上を図ることができる映像信号変換装置及び方法を提供することが本発明の目的である。
【０００６】
【課題を解決するための手段】
本願請求項１に係る発明の映像信号変換装置は、入力映像信号を高フレームレートのプログレッシブ映像信号に変換する映像信号変換装置であって、前記入力映像信号がインターレース映像信号であるか否かを判別するインターレース判別手段と、前記入力映像信号がフィルムに基づいたフィルムソースの映像信号であるか否かを判別するフィルムソース判別手段と、前記インターレース判別手段によって前記入力映像信号がインターレース映像信号であると判別された場合には前記入力映像信号を前記フィルムソース判別手段による判別結果に応じた変換方法にてプログレッシブ映像信号に変換して出力し、前記インターレース判別手段によって前記入力映像信号がインターレース映像信号ではないと判別された場合には前記入力映像信号をそのまま出力するインターレース／プログレッシブ変換手段と、前記インターレース／プログレッシブ変換手段の出力映像信号を前記フィルムソース判別手段による判別結果に応じて高フレームレートの映像信号に変換するフレームレート変換手段と、を備えたことを特徴としている。
【０００７】
本願請求項６に係る発明の映像信号変換方法は、入力映像信号を高フレームレートのプログレッシブ映像信号に変換する映像信号変換方法であって、前記入力映像信号がインターレース映像信号であるか否かを判別し、前記入力映像信号がフィルムに基づいたフィルムソースの映像信号であるか否かを判別し、前記入力映像信号がインターレース映像信号であると判別した場合には前記入力映像信号を前記フィルムソースの映像信号であるか否かの判別結果に応じた変換方法にて前記プログレッシブ映像信号に変換し、その変換後のプログレッシブ映像信号を前記フィルムソースの映像信号であるか否かの判別結果に応じて高フレームレートの映像信号に変換し、前記入力映像信号がインターレース映像信号ではないと判別した場合には前記入力映像信号を前記フィルムソースの映像信号であるか否かの判別結果に応じて高フレームレートの映像信号に変換することを特徴としている。
【０００８】
【発明の実施の形態】
以下、本発明の実施例を図面を参照しつつ詳細に説明する。
図１は本発明の映像信号変換装置を示している。映像信号変換装置は、信号検出回路１、フレームメモリ２，３、フィルム検出回路４，５、インターレース／プログレッシブ変換回路６、切替スイッチ７、フレームレート変換回路８、ＰＤＰ駆動用シーケンス生成回路９及び制御回路１０を備えている。
【０００９】
信号検出回路１は、入力映像信号の同期信号を検出して映像信号の信号フォーマットを判別する。この実施例の装置で処理可能な信号フォーマットは、ＮＴＳＣ方式の映像信号、ＰＡＬ方式の映像信号、走査線５２５本のプログレッシブ映像信号、走査線６２５本のプログレッシブ映像信号、垂直同期周波数ｆｖ＝５０／６０Ｈｚの走査線７５０本のプログレッシブ映像信号、垂直同期周波数ｆｖ＝５０／６０Ｈｚの走査線１１２５本のインターレース映像信号、及び垂直同期周波数ｆｖ＝２４Ｈｚの走査線１１２５本のプログレッシブ映像信号とするが、本発明はこれに限定されない。なお、これらの映像信号の具体的な検出方法については公知であるので、ここでの説明は省略する。
【００１０】
信号検出回路１によって判別された信号フォーマットの情報は制御回路１０に供給される。制御回路１０は信号フォーマットの情報に基づいて本変換装置内のフィルム検出回路４，５、インターレース／プログレッシブ変換回路６、切替スイッチ７、フレームレート変換回路８及びＰＤＰ駆動用シーケンス生成回路９の部分（図１において破線で囲った部分）の制御を行う。
【００１１】
インターレース／プログレッシブ変換回路６は、入力映像信号がインターレース映像信号の場合には制御回路１０の指令に応じて入力映像信号をプログレッシブ映像信号に変換する。その変換のためにフレームメモリ２及びフィルム検出回路４が用いられる。フレームメモリ２には、入力映像信号がインターレース映像信号の場合にインターレース／プログレッシブ変換回路６によってその映像信号が１フレーム単位で書き込まれる。フィルム検出回路４はフレームメモリ２に書き込まれた映像信号がフィルムを元にしていわゆるテレシネ変換された映像信号であるか否かを検出する。映像信号のソースがフィルムの場合をフィルムソースとし、映像信号のソースがフィルムではない場合をビデオソースとする。フィルム検出回路４による検出結果の信号はインターレース／プログレッシブ変換回路６に供給される。インターレース／プログレッシブ変換回路６は、フィルム検出回路４による検出結果に応じてプログレッシブ映像信号への変換を行う。
【００１２】
切替スイッチ７は、制御回路１０の指令に応じて切替動作を行い、入力映像信号がプログレッシブ映像信号の場合にはその入力映像信号をインターレース／プログレッシブ変換回路６を介することなくフレームレート変換回路８に中継し、入力映像信号がインターレース映像信号の場合にはインターレース／プログレッシブ変換回路６の出力映像信号をフレームレート変換回路８に中継する。
【００１３】
フレームレート変換回路８は、切替スイッチ７を介して供給された映像信号のフレームレート、すなわち垂直同期周波数を制御回路１０の指令に応じて変換する。その変換のためにフレームメモリ３及びフィルム検出回路５が用いられる。フレームメモリ３には、フレームレート変換回路８によって映像信号が１フレーム単位で書き込まれる。フィルム検出回路５はフィルム検出回路４と同一回路であり、フレームメモリ３に書き込まれた映像信号がフィルムを元にしていわゆるテレシネ変換された映像信号であるか否かを検出する。フィルム検出回路５による検出結果の信号はフレームレート変換回路８及びＰＤＰ駆動用シーケンス生成回路９に供給される。フレームレート変換回路８はフィルム検出回路５による検出結果に応じてフレームレートの変換を行う。フレームレート変換回路８の出力にはＰＤＰ駆動用シーケンス生成回路９が接続され、フレームレート変換回路８の出力映像信号がＰＤＰ駆動用シーケンス生成回路９には供給される。
【００１４】
ＰＤＰ駆動用シーケンス生成回路９はフレームレート変換回路８の出力映像信号及びフィルム検出回路５による検出結果の信号に応じてＰＤＰ表示パネル１１を駆動する。
次に、かかる構成の映像信号変換装置の動作について説明する。上記したＮＴＳＣ方式の映像信号、ＰＡＬ方式の映像信号、走査線５２５本のプログレッシブ映像信号、走査線６２５本のプログレッシブ映像信号、垂直同期周波数ｆｖ＝５０／６０Ｈｚの走査線７５０本のプログレッシブ映像信号、垂直同期周波数ｆｖ＝５０／６０Ｈｚの走査線１１２５本のインターレース映像信号、及び垂直同期周波数ｆｖ＝２４Ｈｚの走査線１１２５本のプログレッシブ映像信号のいずれか１の映像信号が入力されるとする。図２はこれらの各信号フォーマットの入力映像信号に対する本映像信号変換装置の処理の流れを示している。
【００１５】
ＮＴＳＣ方式の映像信号の場合には、図３に示すように、垂直同期周波数ｆｖ＝６０Ｈｚで第１フィールドＶｉｄｅｏ  ｏｄｄと第２フィールドＶｉｄｅｏ  ｅｖｅｎとが繰り返す信号であるので、信号検出回路１によってインターレース映像信号であることが検出され、切替スイッチ７はインターレース／プログレッシブ変換回路６の出力信号をフレームレート変換回路８に中継する状態となる。ビデオソースのＮＴＳＣ方式の映像信号の場合には、フィルム検出回路４によるフィルム検出信号は０を示す低レベル信号となる。インターレース／プログレッシブ変換回路６はフレームメモリ２に２フィールド（第１フィールドＶｉｄｅｏ  ｏｄｄ及び第２フィールドＶｉｄｅｏ  ｅｖｅｎ）分、すなわち１フレーム分の映像信号を書き込む毎に垂直同期周波数ｆｖ＝６０Ｈｚで１フレーム分の映像信号を２度読み出す。これにより、走査線５２５本のプログレッシブ映像信号Ｖｉｄｅｏ  ｐｒｏｇに変換することができる。このプログレッシブ映像信号は切替スイッチ７を介してフレームレート変換回路８に供給される。フレームレート変換回路８は供給されたプログレッシブ映像信号をフレームメモリ３に書き込む。フィルム検出回路５によるフィルム検出信号は０を示す低レベル信号となるので、フレームレート変換回路８はフレームメモリ３に書き込んだプログレッシブ映像信号を垂直同期周波数ｆｖ＝６０Ｈｚで１フレーム分の映像信号Ｖｉｄｅｏ  ｐｒｏｇを読み出す。すなわち、書き込んだ映像信号Ｖｉｄｅｏ  ｐｒｏｇと同じ映像信号Ｖｉｄｅｏ  ｐｒｏｇを出力する。その映像信号はＰＤＰ駆動用シーケンス生成回路９に供給される。ＰＤＰ駆動用シーケンス生成回路９は垂直同期周波数ｆｖ＝６０Ｈｚの映像信号に応じて６０ＨｚシーケンスでＰＤＰ表示パネル１１を駆動する。
【００１６】
フィルムソースのＮＴＳＣ方式の映像信号の場合には、図３に示すように、フィールドＦｉｌｍ  Ａ  ｏｄｄ，Ｆｉｌｍ  Ａ  ｅｖｅｎ，Ｆｉｌｍ  Ｂ  ｏｄｄ，Ｆｉｌｍ  Ｂ  ｅｖｅｎ，Ｆｉｌｍ  Ｂ  ｏｄｄ，……の如く２−３プルダウン方式の映像信号となっている。Ｆｉｌｍ  Ａ  ｏｄｄはコマＡの第１フィールド、Ｆｉｌｍ  Ａ  ｅｖｅｎはコマＡの第２フィールドを表す。フィルム検出回路４によるフィルム検出信号は１を示す高レベル信号となる。ＮＴＳＣ方式の映像信号の垂直同期周波数はｆｖ＝６０Ｈｚであるので、インターレース／プログレッシブ変換回路６はフレームメモリ２に２フィールド（第１フィールドＦｉｌｍ  Ａ  ｏｄｄ及び第２フィールドＦｉｌｍ  Ａ  ｅｖｅｎ）分の映像信号を書き込む毎に垂直同期周波数ｆｖ＝６０Ｈｚで１フレーム分の映像信号Ｆｉｌｍ  Ａ  ｐｒｏｇを２度読み出す。更に、フレームメモリ２に２フィールド（第１フィールドＦｉｌｍ  Ｂ  ｏｄｄ及び第２フィールドＦｉｌｍ  Ｂ  ｅｖｅｎ）分の映像信号を書き込む毎に垂直同期周波数ｆｖ＝６０Ｈｚで１フレーム分の映像信号Ｆｉｌｍ  Ｂ  ｐｒｏｇを３度読み出す。入力映像信号の連続する５フィールドの最後のフィールドＦｉｌｍ  Ｂ  ｏｄｄは無視される。これが繰り返されることにより、走査線５２５本のプログレッシブ映像信号に変換することができる。このプログレッシブ映像信号は切替スイッチ７を介してフレームレート変換回路８に供給される。フレームレート変換回路８は供給されたプログレッシブ映像信号をフレームメモリ３に書き込む。フィルム検出回路５の出力信号は１を示す高レベル信号となるので、フレームレート変換回路８はフレームメモリ３に書き込んだプログレッシブ映像信号を垂直同期周波数ｆｖ＝７２Ｈｚで１フレーム分の映像信号を読み出し、その映像信号をＰＤＰ駆動用シーケンス生成回路９に供給する。また、その１フレーム分の映像信号の読み出しにおいては５フレーム毎に同一フレームを２度読み出すことが行われる。図３に示すように、フレームＦｉｌｍ  Ａ  ｐｒｏｇ，フレームＦｉｌｍ  Ｃ  ｐｒｏｇ，……が２度読み出されることにより、フレームレート変換されて得られる垂直同期周波数ｆｖ＝７２Ｈｚの映像信号は同一のフレームが３フレームに亘って続くことになる。ＰＤＰ駆動用シーケンス生成回路９は垂直同期周波数ｆｖ＝７２Ｈｚの映像信号に応じて７２ＨｚシーケンスでＰＤＰ表示パネル１１を駆動する。
【００１７】
入力映像信号が垂直同期周波数ｆｖ＝６０Ｈｚの走査線１１２５本のインターレース映像信号の場合には、ＮＴＳＣ方式の映像信号の場合とは走査線数が異なるだけで映像信号変換装置の動作自体はＮＴＳＣ方式の映像信号の場合とビデオソース及びフィルムソース双方において同一である。
入力映像信号が垂直同期周波数ｆｖ＝６０Ｈｚの走査線５２５本のプログレッシブ映像信号の場合には、信号検出回路１によってプログレッシブ映像信号であることが検出されるので、切替スイッチ７は入力映像信号を直接、フレームレート変換回路８に中継する状態となる。フレームレート変換動作は上記のＮＴＳＣ方式の映像信号からプログレッシブ映像信号を生成した後の動作と同一である。
【００１８】
また、入力映像信号が垂直同期周波数ｆｖ＝６０Ｈｚの走査線７５０本のプログレッシブ映像信号の場合には、走査線５２５本のプログレッシブ映像信号の場合とは走査線数が異なるだけで、フレームレート変換動作は同一である。
ＰＡＬ方式の映像信号の場合には、図４に示すように、垂直同期周波数ｆｖ＝５０Ｈｚで第１フィールドＶｉｄｅｏ  ｏｄｄと第２フィールドＶｉｄｅｏ  ｅｖｅｎとが繰り返す信号であるので、信号検出回路１によってインターレース映像信号であることが検出され、切替スイッチ７はインターレース／プログレッシブ変換回路６の出力信号をフレームレート変換回路８に中継する状態となる。ビデオソースのＰＡＬ方式の映像信号の場合には、フィルム検出回路４の出力信号は０を示す低レベル信号となる。インターレース／プログレッシブ変換回路６はフレームメモリ２に２フィールド（第１フィールドＶｉｄｅｏ  ｏｄｄ及び第２フィールドＶｉｄｅｏ  ｅｖｅｎ）分、すなわち１フレーム分の映像信号を書き込む毎に垂直同期周波数ｆｖ＝５０Ｈｚで１フレーム分の映像信号を２度読み出す。これにより、走査線６２５本のプログレッシブ映像信号Ｖｉｄｅｏ  ｐｒｏｇに変換することができる。このプログレッシブ映像信号は切替スイッチ７を介してフレームレート変換回路８に供給される。フレームレート変換回路８は供給されたプログレッシブ映像信号をフレームメモリ３に書き込む。フィルム検出回路５の出力信号は０を示す低レベル信号となるので、フレームレート変換回路８はフレームメモリ３に書き込んだプログレッシブ映像信号を垂直同期周波数ｆｖ＝５０Ｈｚで１フレーム分の映像信号Ｖｉｄｅｏ  ｐｒｏｇを読み出す。すなわち、書き込んだ映像信号Ｖｉｄｅｏ  ｐｒｏｇと同じ映像信号Ｖｉｄｅｏ  ｐｒｏｇを出力する。その映像信号はＰＤＰ駆動用シーケンス生成回路９に供給される。ＰＤＰ駆動用シーケンス生成回路９は垂直同期周波数ｆｖ＝５０Ｈｚの映像信号に応じて５０ＨｚシーケンスでＰＤＰ表示パネル１１を駆動する。
【００１９】
フィルムソースのＰＡＬ方式の映像信号の場合には、図４に示すように、フィールドＦｉｌｍ  Ａ  ｏｄｄ，Ｆｉｌｍ  Ａ  ｅｖｅｎ，Ｆｉｌｍ  Ｂ  ｏｄｄ，Ｆｉｌｍ  Ｂ  ｅｖｅｎ，Ｆｉｌｍ  Ｃ  ｏｄｄ，Ｆｉｌｍ  Ｃ  ｅｖｅｎ，……の如く２−２プルダウン方式の映像信号となっている。Ｆｉｌｍ  Ａ  ｏｄｄはコマＡの第１フィールド、Ｆｉｌｍ  Ａ  ｅｖｅｎはコマＡの第２フィールドを表す。フィルム検出回路４の出力信号は１を示す高レベル信号となる。ＰＡＬ方式の映像信号の垂直同期周波数はｆｖ＝５０Ｈｚであるので、インターレース／プログレッシブ変換回路６はフレームメモリ２に２フィールド（第１フィールドＦｉｌｍ  Ａ  ｏｄｄ及び第２フィールドＦｉｌｍ  Ａ  ｅｖｅｎ）分の映像信号を書き込む毎に垂直同期周波数ｆｖ＝５０Ｈｚで１フレーム分の映像信号Ｆｉｌｍ  Ａ  ｐｒｏｇを２度読み出す。この動作が以降のフィールドＦｉｌｍ  Ｂ  ｏｄｄ，Ｆｉｌｍ  Ｂ  ｅｖｅｎ，Ｆｉｌｍ  Ｃ  ｏｄｄ，Ｆｉｌｍ  Ｃ  ｅｖｅｎ，……についても繰り返されることにより、走査線６２５本のプログレッシブ映像信号に変換することができる。このプログレッシブ映像信号は切替スイッチ７を介してフレームレート変換回路８に供給される。フレームレート変換回路８は供給されたプログレッシブ映像信号をフレームメモリ３に書き込む。フィルム検出回路５の出力信号は１を示す高レベル信号となるので、フレームレート変換回路８はフレームメモリ３に書き込んだプログレッシブ映像信号を垂直同期周波数ｆｖ＝７５Ｈｚで１フレーム分の映像信号を読み出し、その映像信号をＰＤＰ駆動用シーケンス生成回路９に供給する。その１フレーム分の映像信号の読み出しにおいては２フレーム毎に同一フレームを２度読み出すことが行われる。図４に示すように、１フレーム置きにフレームＦｉｌｍ  Ａ  ｐｒｏｇ，フレームＦｉｌｍ  Ｂ  ｐｒｏｇ，……が２度読み出されることにより、フレームレート変換されて得られる垂直同期周波数ｆｖ＝７２Ｈｚの映像信号は同一のフレームが３フレームに亘って続くことになる。ＰＤＰ駆動用シーケンス生成回路９は垂直同期周波数ｆｖ＝７２Ｈｚの映像信号に応じて７２ＨｚシーケンスでＰＤＰ表示パネル１１を駆動する。
【００２０】
入力映像信号が垂直同期周波数ｆｖ＝５０Ｈｚの走査線１１２５本のインターレース映像信号の場合には、ＰＡＬ方式の映像信号の場合とは走査線数が異なるだけで映像信号変換装置の動作自体はＰＡＬ方式の映像信号の場合とビデオソース及びフィルムソース双方において同一である。
入力映像信号が垂直同期周波数ｆｖ＝５０Ｈｚの走査線６２５本のプログレッシブ映像信号の場合には、信号検出回路１によってプログレッシブ映像信号であることが検出されるので、切替スイッチ７は入力映像信号を直接、フレームレート変換回路８に中継する状態となる。フレームレート変換動作は上記ＰＡＬ方式の映像信号からプログレッシブ映像信号を生成した後の動作と同一である。
【００２１】
また、入力映像信号が垂直同期周波数ｆｖ＝５０Ｈｚの走査線７５０本のプログレッシブ映像信号の場合には、走査線６２５本のプログレッシブ映像信号の場合とは走査線数が異なるだけで、フレームレート変換動作は同一である。
入力映像信号が垂直同期周波数ｆｖ＝５０Ｈｚである場合には、ビデオソースとフィルムソースとでフレームレート変換後の垂直同期周波数ｆｖが５０Ｈｚと７５Ｈｚとのように互いに異なるが、共に垂直同期周波数ｆｖ＝７５Ｈｚのフレームレートにすることができる。すなわち、図５に示すように、垂直同期周波数ｆｖ＝５０Ｈｚのビデオソースのプログレッシブ映像信号Ｖｉｄｅｏ  ｐｒｏｇについて、フレームレート変換回路８はフレームメモリ３に書き込んだプログレッシブ映像信号を垂直同期周波数ｆｖ＝７５Ｈｚで１フレーム分の映像信号を読み出し、２フレーム毎に同一フレームを２度読み出す。垂直同期周波数ｆｖ＝５０Ｈｚのフィルムソースのプログレッシブ映像信号については、上記した通りに垂直同期周波数ｆｖ＝７５Ｈｚのフレームレートに変換される。この結果、ＰＤＰ駆動用シーケンス生成回路９は常時７５ＨｚシーケンスでＰＤＰ表示パネル１１を駆動することができる。このようにビデオソース及びフィルムソースの双方の入力映像信号を高フレームレートのプログレッシブ映像信号に変換することにより、表示映像のちらつきを信号ソースに拘わらず低減させることができる。
【００２２】
入力映像信号が垂直同期周波数ｆｖ＝２４Ｈｚの走査線１１２５本のプログレッシブ映像信号である場合には、信号検出回路１によってプログレッシブ映像信号であることが検出されるので、切替スイッチ７は入力映像信号を直接、フレームレート変換回路８に中継する状態となる。フレームレート変換回路８はフレームメモリ３に書き込んだプログレッシブ映像信号を垂直同期周波数ｆｖ＝７２Ｈｚで１フレーム分の映像信号を読み出し、また、同一フレームの映像信号を３度読み出す。ＰＤＰ駆動用シーケンス生成回路９は垂直同期周波数ｆｖ＝７２Ｈｚの映像信号に応じて７２ＨｚシーケンスでＰＤＰ表示パネル１１を駆動する。
【００２３】
なお、入力映像信号がフィルムを元にしたテレシネ変換の映像信号であることを判別するフィルムソース判別手段は上記した実施例においては２つのフィルム検出回路４，５からなるが、フィルム検出回路４だけにしてフィルム検出回路５を備えなくても良い。
以上の如く、本発明によれば、入力映像信号をその信号フォーマットに応じて適した高フレームレートのプログレッシブ映像信号に変換するので、表示映像のちらつきを低減させることができる。よって、フィルムソース及びビデオソース双方の映像信号に対する表示品質の向上を図ることができる。
【図面の簡単な説明】
【図１】本発明による映像信号変換装置の構成を示すブロック図である。
【図２】入力映像信号の各信号フォーマットに対する本映像信号変換装置の処理の流れを示す図である。
【図３】入力映像信号がＮＴＳＣ方式の映像信号の場合の図１の装置の各部の同期タイミング毎の動作状態を示す図である。
【図４】入力映像信号がＰＡＬ方式の映像信号の場合の図１の装置の各部の同期タイミング毎の動作状態を示す図である。
【図５】図４の映像信号においてフレームレートを同一にする場合の図１の装置の各部の同期タイミング毎の動作状態を示す図である。
【符号の説明】
１  信号検出回路
２，３  フレームメモリ
４，５  フィルム検出回路
６  インターレース／プログレッシブ変換回路
８  フレームレート変換回路
【図１】
2005027068.tif 000003
【図２】
2005027068.tif 000004
【図３】
2005027068.tif 000005
【図４】
2005027068.tif 000006
【図５】
2005027068.tif 000007